(57)【要約】【課題】携帯型の情報端末機器に用いられる液晶モジュールにおいて、液晶パネルの背面側に配置される背面カバーを工夫することで、より強度を高めた携帯型の情報端末機器に最適な液晶モジュールを提供することにある。【解決手段】メイン液晶パネル２０と、下方側に位置するサブ液晶パネル５０と、下方に位置するケース６０とを備えた両面液晶モジュール１であって、ケース６０には複数の凹凸状加工であるビート加工６４が施されているおり、特には、このビート加工６４は、サブ液晶パネル５０側に凸となっていることで、両面液晶モジュール１の強度をより高め、両面液晶モジュール１の厚さも抑えることができる。【選択図】図１
2007171738.tif 000002
【特許請求の範囲】
【請求項１】
液晶パネルと、該液晶パネルの下方側に配置された背面カバーを備えた液晶モジュール
であって、
前記背面カバーには複数の凹凸状加工が施されていることを特徴とする液晶モジュール
。
【請求項２】
前記複数の凹凸状加工は、ビート加工またはディンプル加工であることを特徴とする請
求項１に記載の液晶モジュール。
【請求項３】
メイン液晶パネルと、該メイン液晶パネルの下方側に位置するサブ液晶パネルと、該サ
ブ液晶パネルの下方に位置するケースとを備えた両面液晶モジュールであって、
前記ケースには複数の凹凸状加工が施されていることを特徴とする両面液晶モジュール
。
【請求項４】
前記複数の凹凸状加工は、サブ液晶パネル側に凸となっていることを特徴とする請求項
３に記載の両面液晶モジュール。
【請求項５】
前記メイン液晶パネルと前記サブ液晶パネルとの間にはバックライトが配置されており
、該バックライトは、前記メイン液晶パネルを収容できる枠体を備えていることを特徴と
する請求項３または４に記載の両面液晶モジュール。
【請求項６】
メイン液晶パネルと、該メイン液晶パネルの下方側に位置する補強板と、該補強板の下
方側に位置するサブ液晶パネルとを備えた両面液晶モジュールであって、
前記補強板には複数の凹凸状加工が施されていることを特徴とする両面液晶モジュール
。
【請求項７】
前記複数の凹凸状加工は、サブ液晶パネル側に凸となっていることを特徴とする請求項
６に記載の両面液晶モジュール。
【請求項８】
前記メイン液晶パネルと前記サブ液晶パネルとの間にはバックライトが配置されており
、該バックライトは、前記メイン液晶パネルを収容できる枠体を備えていることを特徴と
する請求項６または７に記載の両面液晶モジュール。
【請求項９】
前記複数の凹凸状加工は、ビート加工またはディンプル加工であることを特徴とする請
求項５または８に記載の両面液晶モジュール。
【発明の詳細な説明】
【技術分野】
【０００１】
この発明は、携帯電話機、ＰＤＡ等の小型の携帯端末機器として用いる上で最適な液晶
モジュールに関するものであり、更には、携帯端末機器の一方側及び他方側において表示
をできる両面表示型のものとして最適な液晶モジュールに関する。
【背景技術】
【０００２】
近年では、携帯電話機、ＰＤＡ等の携帯型の情報端末機器が広く普及している。これら
の機器の中でも、特に携帯電話機は、本来の電話としての機能だけでなく、デジタルカメ
ラとしての機能、またインターネットに接続して、種々の機能、例えば電子メール、情報
検索、ナビゲーション等々の機能を備え、日常生活において欠かせないものとなっている
。
【０００３】
このように高機能化する携帯電話機は、所謂ハード面でも、利便性、軽量化及び携帯性
がより追求され、多種のタイプのものが開発され、製品化されている。例えば従来よくみ
られたストレートタイプに代わり、最近では折り畳み式の携帯電話機がよくみうけられる
。
【０００４】
そしてこの折り畳み式の携帯電話機においても、従来は携帯電話機を伸ばした状態で使
用するものであり、その状態で情報を表示していた。そのため情報を表示するための画面
は一つでよく、このような１画面式のものがよくみられていた。しかし最近では携帯電話
機を折り畳んだ状態でも、着信相手の名前や現在時刻等の簡単な情報を表示するようにな
り、そのためのサブ画面を備えた２画面式のものがよくみうけられる。
【０００５】
この２画面式の携帯電話に用いられる表示用のモジュールとして、特許文献１に記載さ
れているような両面液晶モジュールがある。この両面液晶モジュールは、メイン液晶パネ
ルやバックライトをケースで収納するとともに、サブ液晶パネルについてもケース内に収
納する構成となっている。そして更にこのケースにはサブ液晶パネルと略同等の大きさの
開口部を備えており、この開口部からサブ液晶パネルが覗く構成となっている。
【０００６】
この他に、特許文献２に記載されているような両面液晶モジュールもある。この液晶モ
ジュールは、メイン液晶パネルの背面側に位置するフレキシブル基板をサブケースで覆い
、このサブケースにサブ液晶パネルより若干小さい開口部を設けておき、この開口部上に
サブ液晶パネルを載置する構成である。
【特許文献１】特開２００４−７８０４７号公報
【特許文献２】特開２００３−２０７８０１号公報
【発明の開示】
【発明が解決しようとする課題】
【０００７】
特許文献１のケースや特許文献２のサブケースにあるように、従来からメイン液晶パネ
ルの背面側にはメイン液晶パネルを覆うカバーとなるものが存在している。
【０００８】
このメイン液晶パネルの背面側のカバーは、液晶パネルやバックライト等を一体にした
液晶モジュールにおいて、液晶モジュールの衝撃に対する強度を増すことに寄与する。
【０００９】
しかしながら、最近の液晶モジュールの薄型化は目覚しく、例えば液晶パネルを構成す
るガラス基板の厚さが０．３ｍｍや０．２ｍｍなど、非常に薄いものが用いられ始めてい
る。
【００１０】
そしてこれはガラス基板の厚さに限ったものではなく、バックライトを構成する導光板
の厚さや、光学シートの削減など、様々なことを行っている。
【００１１】
そしてこのような液晶モジュールの薄型化に伴って、液晶モジュールの強度が非常に低
下し、液晶パネルが割れるなどの問題が生じてきている。
【００１２】
特に、携帯電話機等の携帯型の情報端末機器は、通常所有者のポケットなど、狭い空間
に収納されている。したがって、瞬間的に非常に強い外力が加わったり、長時間押圧され
た状態となったりしているので、液晶パネルが割れる危険性が非常に高くなっている。
【００１３】
そこで、本発明は、このような従来技術が抱える問題を解決するためになされたもので
あり、本発明の目的は、液晶パネルの背面側に配置される背面カバーを工夫することで、
より強度を高めた携帯型の情報端末機器に最適な液晶モジュールを提供することにある。
【課題を解決するための手段】
【００１４】
本発明は、液晶パネルと、該液晶パネルの下方側に配置された背面カバーを備えた液晶
モジュールであって、前記背面カバーには複数の凹凸状加工が施されていることを特徴と
する。
【００１５】
また本発明は、メイン液晶パネルと、該メイン液晶パネルの下方側に位置するサブ液晶
パネルと、該サブ液晶パネルの下方に位置するケースとを備えた両面液晶モジュールであ
って、前記ケースには複数の凹凸状加工が施されていることを特徴とする。そして特には
、前記複数の凹凸状加工は、サブ液晶パネル側に凸となっていることを特徴とする両面液
晶モジュールであり、また前記メイン液晶パネルと前記サブ液晶パネルとの間にはバック
ライトが配置されており、該バックライトは、前記メイン液晶パネルを収容できる枠体を
備えていることを特徴とする両面液晶モジュールである。
【００１６】
また本発明は、メイン液晶パネルと、該メイン液晶パネルの下方側に位置する補強板と
、該補強板の下方側に位置するサブ液晶パネルとを備えた両面液晶モジュールであって、
前記補強板には複数の凹凸状加工が施されていることを特徴とする。そして特には、前記
複数の凹凸状加工は、サブ液晶パネル側に凸となっていることを特徴とする両面液晶モジ
ュールであり、また前記メイン液晶パネルと前記サブ液晶パネルとの間にはバックライト
が配置されており、該バックライトは、前記メイン液晶パネルを収容できる枠体を備えて
いることを特徴とする両面液晶モジュールである。
【００１７】
また複数の凹凸状加工は、具体的にはビート加工またはディンプル加工であることを特
徴とする。
【発明の効果】
【００１８】
液晶パネルの背面側に配置される背面カバーに複数の凹凸状加工を施すことによって、
液晶モジュールの強度を高めることができ、携帯型の情報端末機器に最適な液晶モジュー
ルとなる。
【００１９】
またメイン液晶パネルの背面側に配置されるケースに複数の凹凸状加工を施すことによ
って、両面液晶モジュールの強度を高めることができ、携帯型の情報端末機器に最適な両
面液晶ジュールとなる。そして特には凹凸状加工がサブ液晶パネル側に凸となっているた
め、両面液晶モジュールの厚さを抑えることができる。
【００２０】
またメイン液晶パネルとサブ液晶パネルとの間に配置される補強板に複数の凹凸状加工
を施すことによって、両面液晶モジュールの強度を高めることができ、携帯型の情報端末
機器に最適な両面液晶モジュールとなる。そして特には凹凸状加工がサブ液晶パネル側に
凸となっているため、両面液晶モジュールの厚さを抑えることができる。
【発明を実施するための最良の形態】
【００２１】
本発明の液晶モジュールは、液晶パネルの下方側に背面カバーを備えた液晶モジュール
であり、この背面カバーには、ビート加工やディンプル加工などの、複数の凹凸状の加工
が施されていることを特徴とする。
【００２２】
以下、図面を参照して本発明の最良の実施形態を説明する。但し、以下に示す実施形態
は、本発明の技術思想を具体化するための液晶モジュールを例示するものであって、本発
明をこの液晶モジュールに特定することを意図するものではなく、特許請求の範囲に含ま
れるその他の実施形態のものも等しく適応しうるものである。
【実施例１】
【００２３】
図１は本発明の一実施例に係る液晶モジュールを表側から観察した分解斜視図であり、
図2は本発明の一実施例に係る液晶モジュールを裏側から観察した分解斜視図である。
【００２４】
実施例における符号１は、２画面式の携帯電話機に用いられる両面液晶モジュールであ
る。この両面液晶モジュール１は、メイン液晶パネル２０と、メイン液晶パネル２０の下
方側に位置するバックライト３０と、バックライト３０の下方側に位置する補強板４０と
、補強板４０の下方に位置するサブ液晶パネル５０と、サブ液晶パネル５０の下方に位置
するケース６０と、から構成されている。
【００２５】
メイン液晶パネル２０は、一般的な液晶パネルと同様であり、液晶（図示せず）を一対
のガラス基板からなる第１、第２基板２１ａ、２１ｂで貼り合わせた構成である。そして
第１基板２１ａ、第２基板２１ｂのそれぞれには、液晶が狭持されている側とは反対の側
において、偏光板（図示せず）が貼り付けられている。
【００２６】
このメイン液晶パネル２０には、表示エリアと、表示エリアの周りの額縁エリアとを有
している。この表示エリアは、第１基板２１ａ、第２基板２１ｂにおいて、基板上に走査
線や映像線、スイッチング素子、画素電極、またＣＦ等が形成され、携帯電話機を使用す
る際、実際に様々な情報が表示される領域を示している。額縁エリアは、表示エリアを囲
むエリアで、スイッチング素子に接続する走査線や映像線と接続する引回配線が形成され
ていたり、基板を貼り付けるシール材が塗布されていたり、表示を行うためのドライバ（
図示せず）が第２基板２１ｂ側に載置されていたりする。
【００２７】
またメイン液晶パネル２０には、第２基板２１ｂ側と接続し、第２基板２１ｂの裏面側
に折り曲げられたメインフレキシブル基板２４を備えている。このメインフレキシブル基
板２４には、電源のための回路などの各種回路素子２５、また後述するサブ液晶パネル５
０から伸びるフレキシブル基板５４の端子部が挿入されるコネクタ２６等が形成されてい
る。
【００２８】
なお、図１でこのメインフレキシブル基板２４はメイン液晶パネル２０の裏側に位置し
、バックライト３０の上に位置しているが、実際には補強板４０の裏側に位置する。同様
に図2で、フレキシブル基板２４はメイン液晶パネル２０とバックライト３０との間に位
置しているが、実際には補強板４０の上、つまりサブ液晶パネル５０と同じ面に位置して
いる。
【００２９】
バックライト３０は、LEDからなる光源と、この光源からの光を表側と裏側の両方にそ
れぞれ導出するための導光板と、導光板の表裏両側にそれぞれ配置された光学シートとを
、枠体３１で保持する構成となっている。
【００３０】
枠体３１は、矩形状をなしており、所定の幅及び高さを有する枠片からなる。そしてメ
イン液晶パネル２０を収容できる大きさを有している。枠体３１は光源や、導光板、光学
シートを一体に保持することによりユニットを形成しているので、両面液晶モジュール１
の組み立てが簡単になる。そして更にはメイン液晶パネル２０を収納する構成としている
ので、別途メイン液晶パネル２０を固定する部材が不要でかつ両面液晶モジュール１の組
み立てが簡単になると共に、機械的強度を強くすることができる。
【００３１】
導光板は、厚さ０．６ｍｍ程度の肉薄な板状体からなり、光源から出光する光をその一
端部から内部に導入し、導光板の表面側及び裏面側へ導出させるものである。導光板は透
明材料で形成され、例えばアクリル樹脂材が用いられている。
【００３２】
光学シートは、拡散シートやプリズムシートなど、様々な種類のものを適宜組み合わせ
て用いられる。なお両面液晶モジュール１は、導光板を１枚しか用いないタイプであり、
導光板の両面にそれぞれメイン液晶パネル２０のための光学シート、サブ液晶パネル５０
のための光学シートを備えているが、それぞれの光学シートの種類は同じでなくてもよく
、メイン液晶パネル２０とサブ液晶パネル５０それぞれに異なる組み合わせの光学シート
が用いてあっても構わない。
【００３３】
補強板４０は、メイン液晶パネル２０や額縁状の枠体３１とほぼ同じ大きさを有する、
厚さ０．２ｍｍ程度のアルミニウムなどの板金から形成されている。この補強板４０には
、板金を打ち抜いて、その略中央にサブ液晶パネル５０よりも若干小さい開口部４１を有
している。また開口部４１の周辺にはサブ液晶パネル５０を固定するための複数の突起片
４２を形成しており、補強板４０の端縁には枠体３１に係合する係止片４３有している。
係止片４３は、枠体３１ある係止突起３５に係合させることで、枠体３１に補強板４０が
固定される。
【００３４】
サブ液晶パネル５０は、基本的な構造はメイン液晶パネル２０と同様であり、液晶（図
示せず）を一対のガラス基板からなる第１、第２基板５１ａ、５１ｂで貼り合わせた構成
である。そして第１基板５１ａ、第２基板５１ｂのそれぞれには、液晶が狭持されている
側とは反対の側において、偏光板（図示せず）が貼り付けられている。そしてサブ液晶パ
ネル５０にも、第２基板５１ｂ側と接続するサブフレキシブル基板５４有し、このサブフ
レキシブル基板５４は、メインフレキシブル基板２４上に形成されたコネクタ２６に挿入
される。
【００３５】
サブ液晶パネル５０は、補強板４０に形成された複数の突起片４２によって位置決めが
行われ、そして補強板４０の開口部４１の周囲に設けられた両面テープや接着剤などから
なる接着手段（図示せず）によって、補強板４０に固定される。そしてこのように補強板
４０に形成された開口部４１をサブ液晶パネル５０より若干小さくし、サブ液晶パネル５
０の表示に影響しない外周部と、補強板４０とを接着し、一体化することにより、両面液
晶モジュール１全体の強度を高めることができる。このような構造は単にサブ液晶パネル
５０が補強板４０の上に位置決めされて載置されただけの両面液晶モジュールに比べ、両
面液晶モジュール１の強度を高める上で非常に効果がある。
【００３６】
また、このように補強板４０をメイン液晶パネル２０とサブ液晶パネル５０との間に用
いることにより、両面液晶モジュール１の機械的強度が高めることができる。特に補強板
を金属材により形成すれば、肉薄な補強板でも、ある程度の強度を確保できるので、メイ
ン液晶パネル２０やサブ液晶パネル５０、バックライト３０やバックライト３０を構成す
る導光板が薄くなったとしても、両面液晶モジュール１の強度を確保することできる。ま
た導光板と補強板４０との間に位置する各種光学シートに皺が発生するのを防止すること
ができる。更には、補強板４０を導電体で形成することで、メインフレキシブル基板２４
のアースとして有効に利用することも可能となる。
【００３７】
ケース６０は、サブ液晶パネル５０側に配置されており、メイン液晶パネル２０、バッ
クライト３０、補強板４０、サブ液晶パネル５０を収納する箱状に形成されている。この
ケース６０は金属材からなる板金を整形したものであり、その材料としては、アルミニウ
ムやステンレス、マグネシウムなどから構成されている。
【００３８】
このケース６０には、サブ液晶パネル５０の表示部分を露出させるための開口部６１が
形成されている。またケース６０には、メイン液晶パネル２０に接続するメインフレキシ
ブル基板２４に形成された各種回路素子２５やコネクタ２６など、ある程度の高さを有す
るものがケース６０と直接触れるのを防止するために設けられている開口部６２が形成さ
れている。またケース６０には、メイン液晶パネル２０に接続するメインフレキシブル基
板２４に形成された外部接続用のコネクタ（図示せず）を露出させるための開口部６３が
形成されている。なお図示していない外部接続用のコネクタとは、両面液晶モジュール１
が取付けられる携帯電話機の制御基板と、各種信号を入出力するためのコネクタである。
【００３９】
そしてケース６０は、開口部６１、６２、６３以外の部分に、複数のビート加工６４か
らなる、凹凸状の加工が施されている。実施例においてこのビート加工６４は縦方向のビ
ート加工６４ａと横方向のビート加工６４ｂで構成されており、計１０個のビート加工が
施されている。ビート加工はケース６０に形成された開口部６１、６１、６３の周囲に形
成されており、特にサブ液晶パネル５０を露出させる一番大きな開口部６１においては、
4辺全てにビート加工６４を施している。なおここでいっているビート加工は長手方向を
有する溝であればよく、この溝が必ずしも連続していなくても、実施例のように連続しな
い一つだけの溝であってよい。
【００４０】
このようにケース６０にビート加工６４を施すことで、ケース６０自体の強度を高める
だけでなく、両面液晶モジュール１の強度自体も非常に高めることができる。またビート
加工はプレスにより簡単に加工が行え、更には細長いスペースを有効に使って形成するこ
とができる。
【００４１】
特にビート加工６４は、図１で説明すると、メイン液晶パネル２０が存在する上方向に
凸のビート加工６４となっている（逆に図２で説明すると、下方向に凸となっている）。
従ってこの方向にはサブ液晶パネル５０の厚み分だけ、ケース６０と、補強板４０或いは
メインフレキシブル基板２４との間に隙間が存在するため、その隙間を有効に利用してビ
ート加工６４の深さを大きく確保することができ、両面液晶モジュール１の強度をより高
めることができる。更には上方向に凸のビート加工に比べると、両面液晶モジュール１の
厚さも抑えることができるので、より薄型の両面液晶モジュール１に適したものとなる。
【００４２】
なお、実施例においては所謂ビート加工６４と呼ばれる波状の凹凸状加工を示している
が、所謂ディンプル加工と呼ばれる複数の小さな丸や四角などの凹凸状加工でもよく、ケ
ース６０の表面積を大きくし、強度を高めるための複数の凹凸状の加工であれば構わない
。ディンプル加工であれば狭いスペースに有効に使って多数の加工を施すことが可能であ
る。
【００４３】
以下に、この両面液晶モジュール１の組立て方法の一例を説明する。
【００４４】
まず、枠体３１に導光板を嵌め込み、嵌め込んだ導光板の両面に光学シートを載置し、
次にメイン液晶パネル２０用の光学シートの上にメイン液晶パネル２０を断面Ｌ字状の枠
体３１の底部に配置する。
【００４５】
次に、サブ液晶パネル５０用の光学シートの下方に補強板４０を配置し、枠体３１の係
止突起３５と補強板４０の係止片４３と係合させる。
【００４６】
次に、補強板４０の開口部４１の周辺に両面接着テープを貼り付け、この両面接着テー
プと突起片４２によりサブ液晶パネル５０を固定および位置決めする。
【００４７】
次にメイン液晶パネル２０と接続するメインフレキシブル基板２４をサブ液晶パネル５
０側に折り曲げる。
【００４８】
次にメインフレキシブル基板２４のコネクタ２６にサブ液晶パネル５０に接続するサブ
フレキシブル基板５４を挿入する。そして、ケース６０でこれらを覆うことにより両面液
晶モジュール１が完成する。
【００４９】
このように組み立てた両面液晶モジュール１は、２画面式の携帯電話機に搭載されるも
のであり、具体的には携帯電話機のハウジング内部に収納され、携帯電話機の制御基板か
らのびるフレキシブル基板がケース６０の開口部６３を介してメインフレキシブル基板２
４と接続され、各種信号が両面液晶モジュール１に入力され、各種の情報が表示される。
そして携帯電話機を折り曲げた状態では、携帯電話機のハウジングから覗くサブ液晶パネ
ル５０を介して表示がなされ、携帯電話機を伸ばした状態では、携帯電話機のハウジング
から覗くメイン液晶パネル２０を介して表示がなされることになる。
【００５０】
なお、この両面液晶モジュール１は、携帯電話に限定されるものではなく、他の携帯情
報端末、例えばＰＤＡなどに搭載することもできる。
【００５１】
またメイン液晶パネル２０やサブ液晶パネル５０については、透過型の液晶パネルに限
定するものではなく、半透過型の液晶パネルでもよい。またバックライトが不要な反射型
であってもよい。
【００５２】
またバックライト３０についても、一つのバックライトでメイン液晶パネル２０とサブ
液晶パネル５０を照射する、所謂両面発光型のバックライトを用いているが、メイン液晶
パネル２０用のバックライトとサブ液晶パネル５０用のバックライトを別々に用いてもよ
い。
【実施例２】
【００５３】
次に、液晶パネルの下方側に背面カバーを備えた液晶モジュールであり、この背面カバ
ーには、ビート加工やディンプル加工などの、複数の凹凸状の加工が施されている本発明
の他の実施例について説明する。
【００５４】
図３には、第２の実施例である両面液晶モジュールの断面図を示しているが、図１、図
２に示した実施例１と同様な点については説明を省略するとともに、同じ符号を用いて説
明する。
【００５５】
両面液晶モジュール１は、メイン液晶パネル２０と、メイン液晶パネル２０の下方側に
位置するバックライト３０と、バックライト３０の下方側に位置する補強板４０と、補強
板４０の下方に位置するサブ液晶パネル５０と、サブ液晶パネル５０の下方に位置するケ
ース６０と、から構成されている。
【００５６】
そして実施例２では、補強板４０において、補強板４０に形成された開口部４１とサブ
液晶パネル５０が載置される部分を除いて、複数のビート加工４４が補強板４０の広い範
囲に施されている。なお補強板４０のその他の構成は実施例１の補強板４０と同様である
。また図示していないが、この補強板４０の加工において、サブ液晶パネル５０の周りに
、メインフレキシブル基板２４が存在している。また実施例２においてはケース６０には
ビート加工が施されてはおらず、単に開口部６１、６２、６３以外の部分は略平坦な形状
となっている。
【００５７】
このように補強板４０にビート加工４４を施すことで、実施例１と同様に、両面液晶モ
ジュール１の強度を非常に高めることができる。そして特には実施例１ではサブ液晶パネ
ル５０に対応した開口部６１以外の開口部６２、６３が形成されているなど、複雑な形状
のケース６０にビート加工６１が施されているが、ケース６０に比べ単純な形状の補強板
４０にビート加工４４を施している実施例２では、ビート加工４４をより広い範囲に形成
でき、効果的に両面液晶モジュール１の強度を高めることができる。
【００５８】
また、特に実施例２ビート加工４４は、補強板４４の下方に位置するサブ液晶パネル５
０側に向かう、下方向に凸となっている。従ってこの方向にはサブ液晶パネル５０の厚み
分だけ、補強板４０とケース６０との間に隙間が存在するため、その隙間を有効に利用し
てビート加工４４の深さを大きく確保することができ、両面液晶モジュール１の強度をよ
り高めることができ、更には、両面液晶モジュール１の厚さも抑えることができ、より薄
型の両面液晶モジュール１に適したものとなる。
【００５９】
なお、実施例２ではケース６０にはビート加工を施していないが、ケース６０にもビー
ト加工が施してあっても構わない。
【００６０】
また、実施例１、実施例２では両面液晶モジュールについて説明し、メイン液晶パネル
の下方側に位置する背面カバーである、ケースや補強板に複数の凹凸状の加工を施したも
のを示したが、本発明は両面液晶モジュールに限定されるものではなく、液晶パネルを一
つだけ備える液晶モジュールであっても、液晶パネルの下方側に背面カバーを備えるもの
であれば広く適用可能である。ただし、本発明は上記実施例１、２で示した両面液晶モジ
ュールに適用することで、より優れた効果が期待できる点でより好ましい。
【図面の簡単な説明】
【００６１】
【図１】本発明における第１の実施例に係る両面液晶モジュールを表側から観察した分解斜視図である。
【図２】本発明における第１の実施例に係る両面液晶モジュールを裏側から観察した分解斜視図である。
【図３】本発明における第２の実施例に係る両面液晶モジュールの断面図である。
【符号の説明】
【００６２】
１  両面液晶モジュール
２０  メイン液晶パネル
３０  バックライト
３１  枠体
４０  補強板
４４  ビート加工
５０  サブ液晶パネル
６０  ケース
６４  ビート加工
【図１】
2007171738.tif 000003
【図２】
2007171738.tif 000004
【図３】
2007171738.tif 000005